(57)【要約】【課題】筐体と基板との接触部位の間に配線を挟み込むことなく容易にモジュールを組み立てることのできるケーブル用モジュールおよびその組立方法を提供する。【解決手段】上側部品と下側部品とを含む筐体と、前記筐体の内部に取り付けられる基板と、前記筐体の内面から前記基板へ向けて突出し、前記基板と直接的または間接的に接触する突出部と、前記筐体の内部を通る配線と前記突出部とを隔てる隔壁と、を備えることを特徴とするケーブル用モジュールおよびその組立方法を提供する。【選択図】図５
2013097348.tif 000002
【特許請求の範囲】
【請求項１】
上側部品と下側部品とを含む筐体と、
前記筐体の内部に取り付けられる基板と、
前記筐体の内面から前記基板へ向けて突出し、前記基板と直接的または間接的に接触する突出部と、
前記筐体の内部を通る配線と前記突出部とを隔てる隔壁と、
を備えることを特徴とするケーブル用モジュール。
【請求項２】
前記隔壁は、
前記筐体または前記基板の少なくともいずれかに固定される固定部と、
前記配線と前記突出部とを隔てる壁部と、を含むことを特徴とする請求項１に記載のケーブル用モジュール。
【請求項３】
前記壁部は、前記固定部から、前記突出部と離間する方向へ傾斜して延出していることを特徴とする請求項２に記載のケーブル用モジュール。
【請求項４】
前記固定部は、前記基板と前記突出部とに挟持されていることを特徴とする請求項２または３に記載のケーブル用モジュール。
【請求項５】
前記固定部は、前記基板上に配される発熱体と前記突出部との間に挟持されていることを特徴とする請求項２または３に記載のケーブル用モジュール。
【請求項６】
前記固定部は、前記筐体に固定され、
前記壁部は、前記基板を貫通して設けられていることを特徴とする請求項２または３に記載のケーブル用モジュール。
【請求項７】
上側部品と下側部品とを含む筐体と、
前記筐体の内部に取り付けられる基板と、
前記筐体の内面から前記基板へ向けて突出し、前記基板と直接的または間接的に接触する突出部と、
前記筐体の内部を通る配線と前記突出部とを隔てる隔壁と、
を備えるケーブル用モジュールの組立方法であって、
前記上側部品または前記下側部品の一方に前記基板を取り付けて前記配線を通し、
前記隔壁を、前記配線を前記突出部の配置位置から逃がすように固定位置まで移動させて固定し、
前記上側部品または前記下側部品の他方を前記上側部品または前記下側部品の一方に取り付け、前記突出部を前記基板と直接的または間接的に接触させることを特徴とするケーブル用モジュールの組立方法。
【請求項８】
前記隔壁は、前記筐体または前記基板の少なくともいずれかに固定される固定部と、前記配線と前記突出部とを隔てる壁部を含み、
前記配線を前記突出部の配置位置から逃がすように前記隔壁を固定位置まで移動させて固定する工程において、前記壁部が前記固定部から前記突出部と離間する方向へ傾斜して配置されるように前記隔壁を固定することを特徴とする請求項７に記載のケーブル用モジュールの組立方法。
【請求項９】
上側部品と下側部品とを含む筐体と、
前記筐体の内部に取り付けられる基板と、
前記筐体の内面から前記基板へ向けて突出し、前記基板と直接的または間接的に接触する突出部と、
前記筐体の内部を通る配線と前記突出部とを隔てる隔壁と、を備えるケーブル用モジュールの組立方法であって、
前記上側部品または前記下側部品の一方に前記基板を取り付け、前記筐体の内部における配線を通す位置と前記突出部の配置位置との間に隔壁を配置した後、前記配線を前記突出部の配置位置と前記壁部を挟んで異なる側に通し、
前記上側部品または前記下側部品の他方を前記上側部品または前記下側部品の一方に取り付け、前記突出部を前記基板と直接的または間接的に接触することを特徴とするケーブル用モジュールの組立方法。
【請求項１０】
前記隔壁は、前記筐体または前記基板の少なくともいずれかに固定される固定部と、前記配線と前記突出部とを隔てる壁部を含み、
前記壁部が前記突出部の配置位置の外縁に沿って延出するように前記隔壁を配置した後、前記配線を前記突出部の配置位置と前記壁部を挟んで異なる側に通すことを特徴とする請求項９に記載のケーブル用モジュールの組立方法。
【発明の詳細な説明】
【技術分野】
【０００１】
本発明は、ケーブル用モジュールおよびその組立方法に関し、特に、複数の部品が組み合わされてなる筐体内に基板が配されているケーブル用モジュールおよびその組立方法に関する。
【背景技術】
【０００２】
ケーブルを伝送される信号に対して変換・増幅等を行うために当該ケーブルの途中あるいは末端部に取り付けられるモジュールが知られている。その一例としては、光ファイバを伝送される光信号を電気信号に変換するために当該光ファイバの末端部などに設けられて光電変換モジュールが挙げられる（例えば特許文献１参照）。このような光電変換モジュールを含む上記モジュールは、例えば、外部機器に接続されるコネクタや電子部品などが取り付けられた基板と、当該基板を収納するとともにケーブルが引き込まれる筐体とで構成されている。
【先行技術文献】
【特許文献】
【０００３】
【特許文献１】特開２０１０−１０２５４号公報
【発明の概要】
【発明が解決しようとする課題】
【０００４】
ところで、上記のようなモジュールでは、基板に搭載された光電変換部品や電子部品から発生する熱の放熱効率の向上を目的として、筐体と基板とをスペーサなどを介して接触させているものがある。一方で、筐体の内部には信号伝送のためのバイパス線など何本もの配線が架け渡されているものがある。したがって、例えば配線が基板の表面近傍に配置されているモジュールでは、その組み立ての際に基板とスペーサとの間に配線を挟み込んだまま基板を筐体に取り付けてしまう虞があり、組立作業において特に注意を要していた。
【０００５】
本発明の目的は、筐体と基板との接触部位の間に配線を挟み込むことなく容易にモジュールを組み立てることのできるケーブル用モジュールおよびその組立方法を提供することにある。
【課題を解決するための手段】
【０００６】
本発明は、上記目的を達成するために、上側部品と下側部品とを含む筐体と、筐体の内部に取り付けられる基板と、筐体の内面から基板へ向けて突出し、基板と直接的または間接的に接触する突出部と、筐体の内部を通る配線と突出部とを隔てる隔壁と、を備えることを特徴とするケーブル用モジュールを提供する。
【０００７】
また、上記ケーブル用モジュールにおいて、隔壁は、筐体または基板の少なくともいずれか一方に固定される固定部と、突出部と配線とを隔てる壁部と、を含むことがより好ましい。
【０００８】
また、上記ケーブル用モジュールにおいて、壁部は、固定部から、突出部と離間する方向へ傾斜して固定部から延出していることがより好ましい。
【０００９】
また、上記ケーブル用モジュールにおいて、固定部は、基板と突出部とに挟持されていることがより好ましい。
【００１０】
また、上記ケーブル用モジュールにおいて、固定部は、基板上に配される発熱体と突出部との間に挟持されていることがより好ましい。
【００１１】
また、上記ケーブル用モジュールにおいて、固定部は、筐体に固定され、壁部は、基板を貫通して設けられていることがより好ましい。
【００１２】
また、本発明の上記目的を達成するために、他の形態として、上側部品と下側部品とを含む筐体と、筐体の内部に取り付けられる基板と、筐体の内面から基板へ向けて突出し、基板と直接的または間接的に接触する突出部と、筐体の内部を通る配線と突出部とを隔てる隔壁と、を備えるケーブル用モジュールの組立方法であって、上側部品または下側部品の一方に基板および配線を通し、隔壁を、配線を突出部の配置位置から逃がすように固定位置まで移動させて固定し、上側部品または下側部品の他方を上側部品または下側部品の一方に取り付け、前記突出部を前記基板と直接的または間接的に接触させることを特徴とすることを特徴とするケーブル用モジュールの組立方法を提供する。
【００１３】
また、上記組立方法において、隔壁は、筐体または基板の少なくともいずれかに固定される固定部と、配線と突出部とを隔てる壁部を含み、
配線を突出部の配置位置から逃がすように前記隔壁を固定位置まで移動させて固定する工程において、固定部から突出部と離間する方向へ壁部が傾斜するように配置することがより好ましい。
【００１４】
また、本発明の上記目的を達成するために、さらに他の形態として、
上側部品と下側部品とを含む筐体と、筐体の内部に取り付けられる基板と、筐体の内面から基板へ向けて突出し、基板と直接的または間接的に接触する突出部と、筐体の内部を通る配線と突出部とを隔てる隔壁と、を備えるケーブル用モジュールの組立方法であって、上側部品または下側部品の一方に基板を取り付け、筐体の内部における配線を通す位置と前記突出部の配置位置との間に隔壁を配置した後、配線を突出部の配置位置と前記壁部を挟んで異なる側に通し、上側部品または下側部品の他方を上側部品または下側部品の一方に取り付けることを特徴とするケーブル用モジュールの組立方法を提供する。
【００１５】
また、上記組立方法において、隔壁は、筐体または基板の少なくともいずれかに固定される固定部と、配線と突出部とを隔てる壁部を含み、壁部が突出部の配置位置の外縁に沿って延出するように隔壁を配置した後、配線を突出部の配置位置と前記壁部を挟んで異なる側に通すことがより好ましい。
【発明の効果】
【００１６】
本発明のケーブル用モジュールおよびその組立方法は、上記の特徴を備えることにより、基板に搭載された光電変換部品や電子部品から発生する熱の放熱などのために基板と直接的または間接的に接触する突出部が設けられた筐体を組み立てる際に、突出部と基板との間に配線が入り込むのを確実に防ぐことができるので、ケーブル用モジュールの組み立てが容易となる。
【図面の簡単な説明】
【００１７】
【図１】本発明の実施形態の一例に係るケーブル用モジュールの斜視図である。
【図２】本発明の実施形態の一例に係るケーブル用モジュールから端部カバーを取り外して上側部品と下側部品を分解した状態を示す図である。
【図３】本発明の実施形態の一例に係るケーブル用モジュールを図１に示すＡ−Ａ線を通る鉛直断面で切断した状態での斜視図である。
【図４】本発明の実施形態の一例に係るケーブル用モジュールについて、図３の状態から上側部品と下側部品を分解したときの様子を示す斜視図である。
【図５】本発明の実施形態の一例に係るケーブル用モジュールについて、ケーブル用モジュールを図１に示すＡ−Ａ線を通る鉛直断面で切断してＡ−Ａ線に付した矢印の方向から見た図である。
【図６】本発明の実施形態の一例に係るケーブル用モジュールの組立方法の手順を示すフローチャートである。
【図７】本発明の実施形態の他の一例に係るケーブル用モジュールの図５に対応する断面図である。
【図８】本発明の実施形態の他の一例に係るケーブル用モジュールの組立方法の手順を示すフローチャートである。
【図９】本発明の実施形態のさらに他の一例に係るケーブル用モジュールの図５に対応する断面図である。
【発明を実施するための形態】
【００１８】
以下、本発明のケーブル用モジュールおよびその組立方法の実施形態の一例について、図面を参照して説明する。
【００１９】
＜ケーブル用モジュール１０の構成＞
先ず、本発明の実施形態の一例に係るケーブル用モジュール１０について、斜視図（図１）、端部カバー２３，２４を取り外して上側部品２１と下側部品２２を分解した状態を示す図（図２）、ケーブル用モジュール１０を図１に示すＡ−Ａ線を通る鉛直断面で切断した状態での斜視図（図３）、図３の状態から上側部品２１と下側部品２２を分解したときの様子を示す斜視図（図４）、およびケーブル用モジュール１０を図１に示すＡ−Ａ線を通る鉛直断面で切断してＡ−Ａ線に付した矢印の方向から見た図（図５）の各図を参照して説明する。
【００２０】
本例のケーブル用モジュール１０は、図１〜図５に示すように、ケーブル１０１とケーブル１０２との間に設けられており、上側部品２１、下側部品２２、端部カバー２３，２４、およびケーブル保護部品２５，２６で構成される筐体と、基板４０と、突出部５１，５２と、隔壁６１，６２とを備える。本例のケーブル用モジュール１０は、ケーブル１０１を伝送される光信号を電気信号に変換してケーブル１０２へと出力することのできる光電変換モジュールであり、モジュールを構成する上記各部について以下に詳述する。
【００２１】
上側部品２１および下側部品２２は、互いに係合可能な形状に形成されており、互いに係合することにより中空の円筒体を構成する。また、上側部品２１および下側部品２２の外面には、基板４０に搭載された光電変換部品や電子部品から発生する熱の放熱効率を上げるためのヒートシンクや放熱フィンとして機能する凹凸が設けられている。また、上側部品２１と下側部品２２との係合部は、電磁ノイズの遮蔽性能を高めるために、係合部が互いに隙間無く咬み合ったラビリンス構造となっている。なお、上側部品２１および下側部品２２の材質は、電磁ノイズの遮蔽性能および熱伝導性に優れた材料であれば特に限定されないが、これらの特性に優れた材料として例えばアルミニウム合金などが好ましく用いられる。
【００２２】
ケーブル保護部品２５は、ケーブル１０１におけるケーブル用モジュール１０との接続端部の外側に取り付けられて当該接続端部を保護する。また、ケーブル保護部品２６は、ケーブル保護部品２５と同様に、ケーブル１０２におけるケーブル用モジュール１０との接続端部の外側に取り付けられて当該接続端部を保護する。本例では、これらケーブル保護部品２５，２６は、端部にフランジが設けられており、このフランジを上側部品２１または下側部品２２の長手方向の端部に設けられた係合溝に嵌合させることで上側部品２１および下側部品２２に固定される。
【００２３】
端部カバー２３，２４は、ケーブル保護部品２５，２６の外側を覆う部品であり、上側部品２１および下側部品２２の長手方向の端部に固定される。なお、端部カバー２３，２４およびケーブル保護部品２５，２６の材質は、一定の剛性を有する材料であれば特に限定されないが、剛性と軽量化の面から上側部品２１および下側部品２２と同じくアルミニウム合金などが好ましく用いられる。
【００２４】
基板４０は、上記筐体の内部に配されており、上記筐体を構成する下側部品２２に固定された板状の回路基板と、当該回路基板に実装された光ファイバ接続部４３および光電変換素子４１，４２、および当該光電変換素子４１，４２を駆動する駆動ＩＣなどの電子部品で構成される。なお、以下の説明において、「基板４０」とは、実質的に上記の回路基板を指すものとする。また、図示は省略するが、基板４０の下面には、ケーブル１０２に含まれる信号線１１３が接続されるコネクタなどの電子部品が実装されている。
【００２５】
光電変換素子４１は基板４０の上面に設けられており、光電変換素子４２は基板４０の下面に設けられている。また、光ファイバ接続部４３は、光電変換素子４１，４２の各々に対応して設けられており、ケーブル１０１に含まれる複数の光ファイバ心線（不図示）を光電変換素子４１，４２と接続するためのフェルールおよびスリーブなどで構成されている。
【００２６】
光電変換素子４１，４２は、複数の上記光ファイバ心線の各々に対応して設けられた複数のフォトダイオード（PD: Photo Diode）を含む。複数のフォトダイオードの各々は、上記光ファイバ心線を伝送される光信号を、その強度（振幅）に応じた電気信号に変換する。なお、上記光ファイバ心線を伝送される光信号が例えば波長多重（WDM: Wavelength Division Multiplex）伝送方式に対応した複数種類の光信号を含む場合は、光電変換素子４１，４２は、さらに波長分割装置などを含む。また、光電変換素子４１，４２は、信号増幅回路などをさらに含んでもよい。
【００２７】
ここで、光電変換素子４１，４２は、基板４０上に配される発熱体の一例であり、光信号を電気信号に変換する際に熱を発生する。しかしながら、発生した熱は、後述のように、隔壁６１，６２および突出部５１，５２を介して上側部品２１または下側部品２２から外部へ効率よく放熱させることができる。
【００２８】
突出部５１，５２は、図３から図５に示すように、上側部品２１および下側部品２２の内面から基板４０へ向けて突出している。より具体的には、突出部５１は、上記筐体を構成する上側部品２１と一体に設けられており、上側部品２１の内面から下方に向けて突出するボス５１ａと、ボス５１ａの先端部（下端部）に取り付けられた放熱シート５１ｂとを有し、基板４０の上面に実装された光電変換素子４１の表面（上面）と対向している。そして、放熱シート５１ｂの下面（ボス５１ａと反対側の面）は、光電変換素子４１の上面に固定された隔壁６１の一部と当接している。したがって、突出部５１は、放熱シート５１ｂおよび隔壁６１を介して光電変換素子４１と間接的に接触している。
【００２９】
一方、突出部５２は、上記筐体を構成する下側部品２２と一体に設けられており、下側部品２２の内面から上方に向けて突出するボス５２ａと、ボス５２ａの先端部（上端部）に取り付けられた放熱シート５２ｂとを有し、基板４０の下面に実装された光電変換素子４２の表面（下面）と対向している。そして、放熱シート５２ｂの上面（ボス５２ａと反対側の面）は、光電変換素子４２の下面に固定された隔壁６２の一部と当接している。したがって、突出部５２は、放熱シート５２ｂおよび隔壁６２を介して光電変換素子４２と間接的に接触している。
【００３０】
ここで、ボス５１ａ，５２ａの材質は、熱伝導性に優れた材料であれば特に限定されないが、ボス５１ａは上側部品２１と、ボス５２ａは下側部品２２と、それぞれ同じ材料により一体成形されていることが好ましい。また、放熱シート５１ｂ，５２ｂには、例えばシリコーンゴムなど、ボス５１ａ，５２ａや隔壁６１，６２との密着性や熱伝導性に優れた材料が好ましく用いられるが、上記の各特性に優れる材料であればこれに限られない。放熱シート５１ｂ，５２ｂに替えて、シリコーングリースなどを用いてもよい。
【００３１】
このように、突出部５１，５２が放熱シート５１ｂ，５２ｂや隔壁６１，６２といった他の部材を介して基板４０と間接的に接触しているので、本例のケーブル用モジュール１０は、放熱性に優れる。一方、突出部５１，５２を他の部材を介さず基板４０と直接接触させても良く、モジュールの設計に応じて適宜変更できる。  
【００３２】
ところで、ケーブル用モジュール１０は、上記のように、ケーブル１０１に含まれる複数の上記光ファイバ心線を伝送される光信号を基板４０で受けて電気信号に変換した後、ケーブル１０２に含まれる信号線１１３へと出力するために設けられている。しかしながら、ケーブル１０１には、信号伝送以外の目的で設けられた配線や、ケーブル用モジュール１０では光電変換を行わないチャネルに対応する信号を伝送する光ファイバなどの信号線も含まれている。そして、このような配線や信号線は、ケーブル用モジュール１０の筐体の内部を通ってそのままケーブル１０２に含まれる。本例では、給電線１１１，１１２がこれに相当し、基板４０に実装された光電変換素子４１，４２などの電子部品を避けるように、基板４０上をケーブル１０１とケーブル用モジュール１０との接続部からケーブル１０２とケーブル用モジュール１０との接続部まで通されている。
【００３３】
そして、ケーブル用モジュール１０では、基板４０上における給電線１１１，１１２が通る位置と突出部５１との間を隔てるように隔壁６１が設けられている。この隔壁６１は、図４および図５に示すように、固定部６１ａと、固定部６１ａの両端から延出する壁部６１ｂとを含み、金属などの熱伝導性に優れた材料で形成されている。
【００３４】
固定部６１ａは、図２から図５に示すように、光電変換素子４１に固定されるとともに上面は突出部５１の先端の放熱シート５１ｂと密着している。すなわち、固定部６１ａは、光電変換素子４１と突出部５１とに挟持されている。
【００３５】
壁部６１ｂは、固定部６１ａの両端から突出部５１と離間する方向（斜め上方）に延出している。すなわち、壁部６１ｂは、突出部５１に対して外側に傾斜するように配置されている。そして、突出部５１は、図５に示すように、隔壁６１を構成する二枚の壁部６１ｂにおける略向かい合う内面の間のスペースに配され、給電線１１１，１１２は、それぞれの壁部６１ｂの外面と基板４０の上面との間のスペースに配される。したがって、壁部６１ｂは、突出部５１の取付方向を含む突出部５１の配置スペースと給電線１１１，１１２を通すスペースとを隔てている。このように、本例のケーブル用モジュール１０では、壁部６１ｂが固定部６１ａの両端から突出部５１と離間する方向に延出しているので、例えば、次のような手順による組立方法で組み立てることにより、突出部５１と基板４０との間に配線が入り込むのを確実に防ぐことができる。
【００３６】
＜ケーブル用モジュール１０の組立方法＞
次に、本例のケーブル用モジュール１０の組立方法を、図６に示すフローチャートを参照して説明する。
【００３７】
この組立方法では、まず、下側部品２２の突出部５２上端の放熱シート５２ｂと固定部６２ａが接触するように隔壁６２を配置する（ステップＳ１００）。次に、下側部品２２の上端部両側に設けられた係合凹部に基板４０を取り付ける（ステップＳ１１０）。そして、下側部品２２の内部に給電線１１１，１１２を通す（ステップＳ１２０）。本例では、下側部品２２の内部に取り付けられた基板４０上における光電変換素子４１の両側に、下側部品２２の長手方向に沿って給電線１１１，１１２を通す。
【００３８】
次に、突出部５１の配置スペースに給電線１１１，１１２が入り込まないように（突出部５１の配置スペースから給電線１１１，１１２を押し出すように）隔壁６１を図５に示す位置（固定位置）まで移動させて当該固定位置に配置する（ステップＳ１３０）。より具体的には、固定部６１ａを下にした隔壁６１を、光電変換素子４１の上側から、固定部６１ａの下面が光電変換素子４１の上面と当接するまで下方に移動させる。また、このとき、壁部６１ｂは、突出部５１と離間する方向へ（突出部５１に対して外側に）傾斜するように配置される。そして、最後に上側部品２１を取り付けて上側部品２１の突出部５１で隔壁６１の固定部６１ａを上から押さえることにより、突出部５１を基板４０に間接的に接触させる（ステップＳ１４０）。以上により、ケーブル用モジュール１０が組み立てられる。
【００３９】
ケーブル用モジュール１０を上記の組立方法で組み立てることで、給電線１１１，１１２を通した際に給電線１１１，１１２の一部が光電変換素子４１寄りの位置で基板４０から浮き上がって突出部５１の配置スペース内に入り込んでいる場合でも、隔壁６１を取り付ける際に、固定部６１ａから斜め上方（外側）へ延びる壁部６１ｂによって給電線１１１，１１２が突出部５１の配置スペース外（光電変換素子４１の両側）に逃がされる。
【００４０】
したがって、組立時に壁部６１ｂの間の突出部５１の配置スペースに給電線１１１，１１２が入り込むのを確実かつ容易に防ぐことができるので、下側部品２２に上側部品２１を取り付ける際に特段の注意を払わなくても突出部５１と光電変換素子４１との間に給電線１１１，１１２を挟んでしまう虞がない。ゆえに、ケーブル用モジュール１０の組み立てが容易となる。
【００４１】
なお、本例のケーブル用モジュール１０において、隔壁６１における壁部６１ｂの形状や隔壁６１の固定位置は上記の例に限られない。例えば、突出部５１の側面に対応する形状の壁部６１ｂが突出部５１の幅（図５における水平方向の長さ）と略等しい間隔で配置された隔壁６１を、壁部６１ｂが突出部５１の配置スペースの外縁に沿って延出するように光電変換素子４１に固定してもよい。すなわち、本例では、突出部５１の幅と略等しい間隔で互いに平行に対向配置された一対の壁部６１ｂと、壁部６１ｂに対して垂直に延びる固定部６１ａとで構成される略コの字の形状の隔壁６１を、壁部６１ｂが突出部５１の配置スペースを囲んで配置されるように光電変換素子４１に固定してもよい。
【００４２】
これにより、突出部５１の取り付けの妨げにならない最小限の間隔で壁部６１ｂを配置することができるので、例えば、隔壁６１を上記のように取り付けてからケーブル用モジュール１０の筐体内における光電変換素子４１の両側に給電線１１１，１１２を通す手順でケーブル用モジュール１０を組み立てる場合に、次のような効果を奏する。すなわち、壁部６１ｂが上記のように最小限の間隔となっていることにより、給電線１１１，１１２を取り付ける際に壁部６１ｂの間の突出部５１の配置スペースに給電線１１１，１１２が入り込むのをより確実に防ぐことができる。したがって、その後の下側部品２２に上側部品２１を取り付ける作業の際に特段の注意を払わなくても突出部５１と光電変換素子４１との間に給電線１１１，１１２を挟んでしまう虞がない。ゆえに、モジュールの組み立てが容易となる。
【００４３】
なお、ケーブル用モジュール１０では、基板４０の下側にも、固定部６２ａと固定部６２ａの両端から斜め下方に延出する壁部６２ｂとを含み、隔壁６１と同様に熱伝導性に優れた材料で形成された隔壁６２が設けられている。そして、図５に示すように、突出部５２は、隔壁６２を構成する二枚の壁部６２ｂにおける略向かい合う内面の間のスペースに配されている。したがって、それぞれの壁部６２ｂの外面と基板４０の下面との間のスペースにも給電線などの配線を通すことができるとともに、上記と同様に、このスペースへ配線を通す作業を行う際にも当該配線が突出部５２の配置スペースに誤って入り込むのを確実かつ容易に防ぐことができる。
【００４４】
また、ケーブル用モジュール１０では、光電変換素子４１，４２は、上記のように、いずれも熱伝導性に優れた材料で形成されている隔壁６１，６２、突出部５１，５２を介して上側部品２１または下側部品２２と間接的に接触している。したがって、光電変換素子４１，４２から発生した熱を上側部品２１または下側部品２２から外部へ効率よく放熱させることができる。
【００４５】
なお、突出部５１，５２に替えて、あるいは突出部５１，５２に加えて、基板４０の上面および下面と直接当接する突出部を上側部品２１および下側部品２２の内面に設けてもよい。これにより、基板４０で発生した熱や光電変換素子４１，４２から基板４０へと伝わった熱を上側部品２１または下側部品２２から外部へ効率よく放熱させることができる。
【００４６】
＜ケーブル用モジュール１１の構成＞
図７は、本発明の実施形態の他の例に係るケーブル用モジュール１１の図５に対応する断面図である。ケーブル用モジュール１１の説明において、図１から図６を参照して説明したケーブル用モジュール１０と同じ構成については同じ符号を付してその説明を省略する。
【００４７】
ケーブル用モジュール１１は、ケーブル用モジュール１０において光電変換素子４１，４２と突出部５１，５２との間に配されていた隔壁６１，６２に替えて、隔壁６３，６４を有する。すなわち、ケーブル用モジュール１１では、光電変換素子４１，４２と突出部５１，５２とが互いに隔壁を介することなく接触している。
【００４８】
隔壁６３は、基板４０の上面における光電変換素子４１および突出部５１を挟む一方の側に固定される固定部６３ａと、固定部６３ａの一端から斜め上方に延出する壁部６３ｂとを含む。また、隔壁６４は、基板４０の上面における光電変換素子４１および突出部５１を挟む他方の側に固定される固定部６４ａと、固定部６４ａの一端から斜め上方に延出する壁部６４ｂとを含む。
【００４９】
壁部６３ｂ，６４ｂは、図７に示すように、固定部６３ａ，６４ａの突出部５１寄りの端部から突出部５１に対して離れる方向（斜め上方）に延出している。そして、突出部５１は、壁部６３ｂと壁部６４ｂの間のスペースに配される。また、給電線１１１，１１２は、壁部６３ｂ，６４ｂから見て突出部５１と反対側のスペースに通される。
【００５０】
＜ケーブル用モジュール１１の組立方法＞
次に、本例のケーブル用モジュール１１の組立方法を、図８に示すフローチャートを参照して説明する。
【００５１】
この組立方法では、まず、下側部品２２の上端部両側に設けられた係合凹部に基板４０を取り付ける（ステップＳ２００）。次に、基板４０上の給電線１１１，１１２を通すスペースと突出部５１の配置スペースとが壁部６３ｂ，６４ｂによって隔てられるように隔壁６３，６４を配置する（ステップＳ２１０）。また、このとき、壁部６３ｂ，６４ｂは、突出部５１と離間する方向へ（突出部５１に対して外側に）傾斜するように配置される。
【００５２】
次に、下側部品２２の内部に給電線１１１，１１２を通す（ステップＳ２２０）。本例では、下側部品２２の内部に取り付けられた基板４０上における突出部５１の配置スペースと壁部６３ｂ，６４ｂを挟んで異なる側（反対側）すなわち壁部６３ｂ，６４ｂの外側に、下側部品２２の長手方向に沿って給電線１１１，１１２を通す。そして、最後に上側部品２１を取り付けて上側部品２１の突出部５１を基板４０に直接的に接触させる（ステップＳ２３０）。以上により、ケーブル用モジュール１１が組み立てられる。
【００５３】
ケーブル用モジュール１１を上記の組立方法で組み立てることで、給電線１１１，１１２を通した際に給電線１１１，１１２の一部が基板４０から浮き上がった場合でも、浮き上がった給電線１１１，１１２が突出部５１の配置スペース内に入り込みにくい。また、基板４０の上面に隔壁６３，６４を取り付けた後で給電線１１１，１１２を通す作業を行うので、給電線１１１，１１２を誤って突出部５１の配置スペース内を跨いで通してしまうミスが起こりにくい。
【００５４】
したがって、その後の下側部品２２に上側部品２１を取り付ける作業の際に特段の注意を払わなくても突出部５１と光電変換素子４１との間に給電線１１１，１１２を挟んでしまう虞がなく、モジュールの組み立てが容易となる。
【００５５】
なお、本例のケーブル用モジュール１１において、隔壁６３，６４は、ケーブル用モジュール１０の隔壁６１，６２と同様に、熱伝導性に優れた材料で形成されている。したがって、隔壁６３，６４は、基板４０で発生した熱や光電変換素子４１，４２から基板４０へと伝わった熱を放熱する放熱フィンとしても機能する。
【００５６】
また、ケーブル用モジュール１１では、基板４０の上面側にのみ隔壁６３，６４が設けられているが、これはケーブル用モジュール１１では基板４０の上面側にのみ給電線１１１，１１２が通されているためであり、基板４０の下面側に給電線などの配線を通す場合には、基板４０の下面側にも隔壁６３，６４と同様の隔壁が突出部５２を挟むように設けられる。
【００５７】
＜ケーブル用モジュール１２の構成＞
図９は、本発明の実施形態のさらに他の例に係るケーブル用モジュール１２の図５に対応する断面図である。ケーブル用モジュール１２の説明において、図１から図８を参照して説明したケーブル用モジュール１０，１１と同じ構成については同じ符号を付してその説明を省略する。
【００５８】
ケーブル用モジュール１２は、下側部品２２と一体に設けられた隔壁６５を有する。この隔壁６５は、固定部６５ａと、固定部６５ａの両端から上方へ延出する壁部６５ｂとを含む。
【００５９】
固定部６５ａは、図１から図８を参照して説明したケーブル用モジュール１０，１１ではボス５２ａが設けられていた位置に下側部品２２と一体に形成されており、ボス５２ａと同様に、下側部品２２の内面から基板４０の下面へ向けて突出する。その端面（上面）に配された放熱シート５２ｂを介して基板４０の下面に実装された光電変換素子４２と当接している。
【００６０】
壁部６５ｂは、図９に示すように、固定部６５ａの両端から基板４０に設けられた貫通穴を貫通して反対側まで延出しており、基板４０を挟んで反対側に設けられている突出部５１の両側面に沿って延出している。すなわち、本例では、基板４０を貫通して延びる二枚の壁部６５ｂの間に突出部５１の配置スペースが形成され、それぞれの壁部６５ｂの外側に給電線１１１，１１２が通される。
【００６１】
なお、組立方法のフローチャートは省略するが、ケーブル用モジュール１２は、例えば次のように組み立てられる。すなわち、まず、壁部６５ｂが突出部５１の配置スペースの両側面（外縁）に沿って延出するように隔壁６５の壁部６５ｂを基板４０の上記貫通穴に挿し込んで下側部品２２に固定する。次に、給電線１１１，１１２を突出部５１の配置スペースと壁部６５ｂを挟んで異なる側に通す。
【００６２】
ケーブル用モジュール１２をこのような方法で組み立てることにより、突出部５１の両側面と壁部６５ｂとの間の隙間が非常に狭いので、給電線１１１，１１２を通す際に給電線１１１，１１２が上記の隙間から突出部５１の配置スペース内に入り込むのを確実に防ぐことができる。したがって、その後の下側部品２２に上側部品２１を取り付ける作業の際に特段の注意を払わなくても突出部５１と光電変換素子４１との間に給電線１１１，１１２を挟んでしまう虞がなく、モジュールの組み立てが容易となる。
【００６３】
また、隔壁６５は、熱伝導性に優れた材料で形成されているので、基板４０および光電変換素子４２から発生した熱を下側部品２２から外部へ効率よく放熱させることができる。また、隔壁６５は、下側部品２２の別個に設けて下側部品２２に取り付けても良いが、本例のように下側部品２２と一体に形成することで部品点数を削減することができる。
【００６４】
以上において、本発明のケーブル用モジュールおよびその組立方法の実施形態の例について説明したが、本発明は上記実施形態の各例に限定されず、当該実施形態の各例に基づいて当業者が想到できるいずれの形態をも当然に含むものである。
【００６５】
例えば、上記実施形態の各例に係るケーブル用モジュール１０，１１，１２は、何れもケーブル１０１を伝送される光信号を電気信号に変換してケーブル１０２へと出力する光電変換モジュールであるが、本発明は、電気信号を光信号に変換するケーブル用モジュールにも適用することができる。また、電気信号を光信号に変換するケーブル用モジュールに本発明を適用する場合は、基板４０には、上記の光電変換素子４１，４２に替えて、VCSEL（ Vertical Cavity Surface Emitting LASER）を光源とする電気光変換素子が配される。
【符号の説明】
【００６６】
１０，１１，１２・・・ケーブル用モジュール、２１・・・上側部品（筐体）、２２・・・下側部品（筐体）、２３，２４・・・端部カバー（筐体）、２５，２６・・・ケーブル保護部品（筐体）、４０・・・基板、４１，４２・・・光電変換素子（発熱体）、４３・・・光ファイバ接続部、５１，５２・・・突出部、５１ａ，５２ａ・・・ボス、５１ｂ，５２ｂ・・・放熱シート、６１，６２，６３，６４，６５・・・隔壁、６１ａ，６２ａ，６３ａ，６４ａ，６５ａ・・・固定部、６１ｂ，６２ｂ，６３ｂ，６４ｂ，６５ｂ，６５ｃ・・・壁部、１０１，１０２・・・ケーブル、１１１，１１２・・・給電線（配線）、１１３・・・信号線（配線）
【図１】
2013097348.tif 000003
【図２】
2013097348.tif 000004
【図３】
2013097348.tif 000005
【図４】
2013097348.tif 000006
【図５】
2013097348.tif 000007
【図６】
2013097348.tif 000008
【図７】
2013097348.tif 000009
【図８】
2013097348.tif 000010
【図９】
2013097348.tif 000011